(57)【特許請求の範囲】
【請求項１】
少なくとも一つの配線接続部が取付けられた複数の基板と、少なくとも一つの配線接続部が取付けられた各種遊技部材と、該配線接続部に接続し、これら基板同士及び／又はこれら基板と各種遊技部材を電気的に接続してなる複数の配線部材とを有する遊技機であって、
前記配線部材は、複数本の線体からなる接続線と、この接続線の端部側に設けられ、且つ、前記配線接続部に接続可能な被接続部とを有し、
前記接続線の長さは、一部、又は、全部が不均一に設定され、
前記接続線の端部を、前記配線接続部に接続される前記被接続部の長手方向に平行又は略平行となる方向に配設し、当該接続線の一方側に配設されている線体の長さが、他方側に配設されている線体の長さよりも長くなるように設定されてなることを特徴とする遊技機。
【発明の詳細な説明】
【技術分野】
【０００１】
本発明は、パチンコ機、アレンジボール機、雀球遊技機、スロットなどの遊技機に関し、より詳しくは、配線部材の断線等を防止し、配線接続部への接続を容易に行うことができる遊技機に関する。
【背景技術】
【０００２】
従来のパチンコ機等の遊技機として、例えば特許文献１に記載のような遊技機が知られている。この遊技機は、その遊技機内に遊技に係る各種の制御を実行する複数の制御基板が設けられ、これら制御基板は、ハーネスと称される配線部材を介して他の基板と電気的に接続されている。この配線部材は、複数本の線体からなる接続線と、その両端に取り付けた接続用コネクタとで構成され、その接続用コネクタは、制御基板に設けられた被接続用コネクタに接続され、これにより、これら制御基板は、当該配線部材を介して他の基板と電気的に接続されることとなる。
【先行技術文献】
【特許文献】
【０００３】
【特許文献１】特開２００３−１５９４５２号公報
【発明の概要】
【発明が解決しようとする課題】
【０００４】
しかしながら、上記のような遊技機は、配線部材の線長が全て同じであるため、接続用コネクタを制御基板に設けられた被接続用コネクタ接続する場合、複数本の線体からなる接続線のうち、ある線体は大きく弛み、ある線体は、緊張状態になるという場合があった。さらには、接続線が緊張状態になってしまうと、当該接続線はそれ以上延ばすことができないため、被接続用コネクタへの接続を阻害してしまい、引張り過ぎると、当該接続線が断線等してしまうという問題があった。
【０００５】
そこで本発明は、上記問題に鑑み、配線部材の断線等を防止し、配線接続部への接続を容易に行うことができる遊技機を提供することを目的としている。
【課題を解決するための手段】
【０００６】
上記本発明の目的は、以下の手段によって達成される。なお、括弧内は、後述する実施形態の参照符号を付したものであるが、本発明はこれに限定されるものではない。
【０００７】
請求項１の発明によれば、少なくとも一つの配線接続部（接続用コネクタ１５１等）が取付けられた複数の基板（受け皿中継基板１５０等）と、少なくとも一つの配線接続部（接続用コネクタ１６ａ等）が取付けられた各種遊技部材（スピーカ１６等）と、該配線接続部（接続用コネクタ１６ａ等）に接続し、これら基板（受け皿中継基板１５０等）同士及び／又はこれら基板（受け皿中継基板１５０等）と各種遊技部材（スピーカ１６等）を電気的に接続してなる複数の配線部材（１１０，２００，３００）とを有する遊技機であって、前記配線部材（１１０，２００，３００）は、複数本の線体（最短線体１１１ａ，最長線体１１１ｂ，第１中間最長線体１１１ｃ，第２中間最長線体１１１ｄ，最短線体２０１ａ，最長線体２０１ｂ）からなる接続線（１１１，２０１，３０１）と、この接続線（１１１，２０１，３０１）の端部側に設けられ、且つ、前記配線接続部（接続用コネクタ１５１，１６ａ等）に接続可能な被接続部（被接続用コネクタ１１２ａ，１１２ｂ，２０２ａ，２０２ｂ，３２０）とを有し、前記接続線（１１１，２０１，３０１）の長さは、一部、又は、全部が不均一に設定され、前記接続線（１１１，２０１，３０１）の端部を、前記配線接続部（接続用コネクタ１５１等）に接続される前記被接続部（被接続用コネクタ１１２ａ，１１２ｂ，２０２ａ，２０２ｂ，３２０）の長手方向に平行又は略平行となる方向に配設し、当該接続線（１１１，２０１，３０１）の一方側に配設されている線体（最長線体１１１ｂ，第１中間最長線体１１１ｃ，最長線体２０１ｂ）の長さが、他方側に配設されている線体（最短線体１１１ａ，第２中間最長線体１１１ｄ，最短線体２０１ａ）の長さよりも長くなるように設定されてなることを特徴としている。
【発明の効果】
【００１５】
本発明によれば、配線部材の断線等を防止し、配線接続部への接続を容易に行うことができる。
【図面の簡単な説明】
【００１６】
【図１】本発明の一実施形態に係る遊技機の外観を示す正面側の斜視図である。
【図２】同実施形態に係る遊技盤を装着する前の遊技機の扉を開放した状態を示す正面側御の斜視図である。
【図３】同実施形態に係る遊技盤を装着する前の遊技機の扉を開放した状態を示す正面図である。
【図４】同実施形態に係る遊技盤の正面図である。
【図５】同実施形態に係る遊技機の外観を示す背面側の斜視図である。
【図６】図２に示すＸ部分の拡大図である。
【図７】同実施形態に係る配線部材の平面図である。
【図８】（ａ）は、同実施形態に係る配線部材の基端側の被接続用コネクタを、受け皿中継基板に取り付けられている接続用コネクタに接続する状態を示し、（ｂ）は、同実施形態に係る配線部材の先端側の被接続用コネクタを、度数表示基板に取り付けられている接続用コネクタに接続する状態を示す図である。
【図９】（ａ）は、同実施形態に係る接続線の基端側に被接続用コネクタを設ける状態を示し、（ｂ）は、同実施形態に係る第１分岐接続線及び第２分岐接続線、夫々の先端側に被接続用コネクタを設ける状態を示す図である。
【図１０】（ａ）は、図８（ａ）に示す同実施形態に係る配線部材の基端側の被接続用コネクタを、受け皿中継基板に取り付けられている接続用コネクタに接続する方向とは逆の状態を示し、（ｂ）は、図７に示す配線部材とは異なる配線部材によって向きが異なる接続用コネクタを電気的に接続する例を示す図である。
【図１１】図７及び図１０（ｂ）に示す配線部材とは異なる配線部材を示し、当該配線部材の接続線の基端側に被接続用コネクタを設ける状態を示す図である。
【図１２】同実施形態に係る制御装置を示すブロック図である。
【図１３】同実施形態に係る演出Ｉ／Ｆ基板、液晶Ｉ／Ｆ基板周辺の接続状況を概略的に示すブロック図である。
【発明を実施するための形態】
【００１７】
以下、本発明に係る遊技機の一実施形態を、パチンコ遊技機を例にして、図１〜図１３を参照して具体的に説明する。なお、以下の説明において、上下左右の方向を示す場合には、図示正面から見た場合の上下左右をいうものとする。
【００１８】
本実施形態に係るパチンコ遊技機は、図１〜図３に示すように、遊技機本体１を有し、この遊技機本体１は、木製の外枠２と、この外枠２の前面に、左側面に設けられているヒンジ４ａを介して縦軸心廻りに開閉自在及び着脱自在に枢着された矩形状の前面枠３とを備えている。
【００１９】
そして、この前面枠３は、図２及び図３に示すように、上部装着部５と、この上部装着部５の下側に設けられた下部装着部６とを備えている。この上部装着部５の前側には、上記ヒンジ４ａを介して縦軸心廻りに開閉自在及び着脱自在に枢着された透明ガラスを支持した上部開閉扉７が設けられ、下部装着部６の前側には、下部開閉扉８がヒンジ４ａと同じ側に設けられたヒンジ４ｂにより開閉自在及び着脱自在に枢着されている。
【００２０】
この下部開閉扉８には、図１に示すように、排出された遊技球を貯留する上受け皿９と、この上受け皿９が満杯になったときにその余剰球を受けて貯留する下受け皿１０とが一体形成されている。また、下部開閉扉８には、球貸しボタン１１及びプリペイドカード排出ボタン１２（カード返却ボタン１２）が設けられ、そして、上受け皿９の上皿表面部分には、内蔵ランプ（図示せず）点灯時に押下することにより演出効果を変化させることができる押しボタン式の演出ボタン装置１３が設けられている。また、この上受け皿９には、当該上受け皿９に貯留された遊技球を下方に抜くための球抜きボタン１４が設けられている。
【００２１】
一方、下部開閉扉８の右端部側には、図１に示すように、発射ユニットを作動させるための発射ハンドル１５が設けられ、図１〜図３に示すように、前面枠３の上部両側面側及び発射ハンドル１５の近傍には、ＢＧＭ（Ｂａｃｋｇｒｏｕｎｄ  ｍｕｓｉｃ）あるいは効果音を発するスピーカ１６が設けられている。そして、上部開閉扉７及び下部開閉扉８の各所には、光の装飾による演出効果を現出するＬＥＤランプ等の装飾ランプが配設されている。
【００２２】
他方、上部装着部５には、図２及び図３に示すように、遊技盤装着枠１７が設けられており、この遊技盤装着枠１７に遊技盤２０が、図４に示す遊技領域４０を前面に臨ませた状態で装着され、遊技盤装着枠１７内に固定される。すなわち、図３に示すように、上部装着部５には、右側面側下部に複数の接続用コネクタ１８（図示では４個）が設けられているため、これら接続用コネクタ１８に、遊技盤２０の背面に設けられた被接続用コネクタ（図示せず）が接続されることで、遊技盤装着枠１７内に遊技盤２０が装着される。そして、右側面側上下方向に設けられた固定具１９ａ，１９ｂによって遊技盤装着枠１７内に遊技盤２０が固定される。これにより、遊技盤装着枠１７内に遊技盤２０が装着され、その遊技盤２０の遊技領域４０の前側に、透明ガラスを支持した上部開閉扉７が設けられることとなる（図１参照）。なお、上記遊技領域４０は、遊技盤２０の面上に配設された球誘導レール４１（図４参照）で囲まれた領域からなるものである。
【００２３】
一方、下部装着部６には、図２及び図３に示すように、左右方向略中央に発射機構２１が配設され、その発射機構２１の右側には、スピーカ１６が配設されている。この発射機構２１は、図３に示すように、板金製の支持板２２と、この支持板２２の前面に装着された発射レール２３と、支持板２２の前面に装着され且つ発射用の遊技球を発射レール２３上の発射待機位置２４に保持する球保持部２５と、支持板２２の前面で前後方向の駆動軸２６廻りに揺動自在に支持された打撃槌２７と、支持板２２の裏側に装着され、且つ、打撃槌２７を、駆動軸２６を介して打撃方向に駆動する発射モータを備えた発射制御基板３０とを備えている。
【００２４】
他方、上記遊技盤２０の遊技領域４０には、図４に示すように、略中央部にＬＣＤ（Ｌｉｑｕｉｄ  Ｃｒｙｓｔａｌ  Ｄｉｓｐｌａｙ）等からなる液晶表示装置４２が配設されている。この液晶表示装置４２は、表示エリアを左、中、右の３つのエリアに分割し、独立して数字やキャラクタあるいは図柄（装飾図柄）の変動表示が可能なものである。そしてこのような液晶表示装置４２の周囲には、装飾用の上飾り４３ａ、左飾り４３ｂ、右飾り４３ｃが設けられており、この上飾り４３ａ、左飾り４３ｂ、右飾り４３ｃの背面側には可動演出装置４４が配設されている。
【００２５】
この可動演出装置４４は、図４に示すように、遊技の進行に伴い所定の演出動作を行う左上可動演出体４４ａと、上可動演出体４４ｂと、左可動演出体４４ｃと、右可動演出体４４ｄとを有し、これら可動演出体４４ａ〜４４ｄは、夫々、モータ（図示せず）にて駆動される。
【００２６】
一方、液晶表示装置４２の真下には、特別図柄始動口４５が配設され、その内部には入賞球を検知する特別図柄始動口スイッチ（図１２参照）が設けられている。そして、この特別図柄始動口４５の右側には、大入賞口４６が配設され、その内部には入賞球を検知する大入賞口スイッチ（図１２参照）が設けられている。
【００２７】
また一方、上記液晶表示装置４２の右上部にはゲートからなる普通図柄始動口４７が配設され、その内部には、遊技球の通過を検知する普通図柄始動口スイッチ（図１２参照）が設けられている。また、上記大入賞口４６の右側及び上記特別図柄始動口４５の左側には、一般入賞口４８が夫々配設され（図示では、右側に１つ、左側に３つ）、その内部には、夫々、遊技球の通過を検知する一般入賞口スイッチ（図１２参照）が設けられている。
【００２８】
また、上記遊技盤２０の遊技領域４０の右下周縁部には、７セグメントを３桁に並べて構成される特別図柄表示装置４９と、２個のＬＥＤからなる普通図柄表示装置５０が設けられている。そしてさらに、上記遊技盤２０の遊技領域４０には、図示はしないが複数の遊技釘が配設され、遊技球の落下方向変換部材としての風車５１が配設されている。
【００２９】
このように構成される遊技機本体１の背面は、図５に示すように、遊技盤装着枠１７を覆って遊技盤２０を裏側から押さえる枠体状の裏機構板６０が取付けられている。そして、この裏機構板６０の上部右側寄りには、パチンコホール側島設備の遊技球補給装置（図示せず）から供給される遊技球を貯留する遊技球貯留タンク６１が設けられ、さらには、その遊技球貯留タンク６１から球を導出するタンクレール６２が設けられている。
【００３０】
このタンクレール６２の傾斜下端には、払出し装置６３と払出し通路６４とが装着されており、遊技球が大入賞口４６等の入賞口に入賞した時、又は、遊技球貸出装置（図示せず）から球貸し指令があった時に、遊技球貯留タンク６１内の遊技球を、タンクレール６２を経て払出し装置６３により払出し、その遊技球を、払出し通路６４を経て上受け皿９（図１参照）に案内するようになっている。
【００３１】
また、裏機構板６０の略中央には、遊技盤２０の裏側に着脱自在に装着された透明の裏カバー６５（図３も参照）が装着されており、この裏カバー６５内には、演出制御基板７０を収納した透明の演出制御基板ケース７１と、液晶制御基板８０を収納した透明の液晶基板ケース８１とが着脱自在に設けられている。そして、演出制御基板ケース７１の下方には、内部に主制御基板８５を収納した透明な主制御基板ケース８６が着脱自在に設けられ、この主制御基板ケース８６の下方には、払出制御基板９０を収納した透明な払出制御基板ケース９１が着脱自在に設けられている。さらに、この主制御基板ケース８６の下方には、電源基板１００を収納した電源基板ケース１０１が着脱自在に設けられている。
【００３２】
かくして、このように構成された遊技機は、演出制御基板７０等の各基板同士、及び／又は、各基板と可動演出体４４ａ〜４４ｄ等の各種遊技部材を電気的に接続するにあたって、図６に示すように、ハーネスと称される配線部材１１０を用いて電気的に接続している。
【００３３】
すなわち、図６に示すように、下部装着部６には、遊技球貸出装置（図示せず）から送信される信号を中継する受け皿中継基板１５０が設けられ、下部開閉扉８の背面には、上記受け皿中継基板１５０を介して遊技球貸出装置（図示せず）から送信される信号に応じて、プリペイドカードの残高表示部などを駆動する度数表示基板１６０が設けられている。そして、この受け皿中継基板１５０と度数表示基板１６０は、配線部材１１０を用いて電気的に接続されている。
【００３４】
この配線部材１１０は、図７に示すように、複数本の線体（図示では、１６本）からなる接続線１１１と、その両端に設けられた被接続用コネクタ１１２ａ，１１２ｂとで構成されており、接続線１１１は、先端側に向かって二股状に分かれている。すなわち、接続線１１１は、幅方向に向かって複数の線体が配設されており、このように配設された接続線１１１の基端部には、被接続用コネクタ１１２ａが設けられている。そして、このように配設された接続線１１１の先端側は、複数本の線体（図示では、８本）からなる第１分岐接続線１１３と、複数本の線体（図示では、８本）からなる第２分岐接続線１１４とに分かれて二股状に形成され、この第１分岐接続線１１３と第２分岐接続線１１４の先端部には、夫々、被接続用コネクタ１１２ｂが設けられている。
【００３５】
このように構成された配線部材１１０は、図６及び図８に示すように、受け皿中継基板１５０、度数表示基板１６０に夫々取り付けられている接続用コネクタ１５１，１６１を介して、受け皿中継基板１５０と度数表示基板１６０とを電気的に接続している。より詳しく説明すると、図８に示すように、接続用コネクタ１５１，１６１内の長手方向には、夫々、複数の端子１５１ａ，１６１ａが所定間隔を置いて配設されており、図８（ａ）に示すように、これら端子１５１ａには、第１分岐接続線１１３又は第２分岐接続線１１４の先端部に設けられた被接続用コネクタ１１２ｂが差し込まれ、一方、これら端子１６１ａには、図８（ｂ）に示すように、接続線１１１の基端部に設けられた被接続用コネクタ１１２ａが差し込まれる。これにより、接続用コネクタ１５１に被接続用コネクタ１１２ｂが接続され、接続用コネクタ１６１に被接続用コネクタ１１２ａが接続されることとなり、受け皿中継基板１５０と度数表示基板１６０は、図６に示すように、配線部材１１０により電気的に接続されることとなる。
【００３６】
かくして、このように、演出制御基板７０等の各基板同士、及び／又は、各基板と可動演出体４４ａ〜４４ｄ等の各種遊技部材は、上記配線部材１１０を用いて、電気的に接続されることとなる。
【００３７】
しかしながら、図６に示すように、配線部材１１０の接続線１１１のうち、下部開閉扉８の背面側に最も近い最短線体１１１ａと、最も遠い最長線体１１１ｂとでは、度数表示基板１６０から受け皿中継基板１５０までの距離が異なる。それゆえ、接続線１１１の線長を全て同じにしていると、度数表示基板１６０から受け皿中継基板１５０までの距離が最も短い最短線体１１１ａが大きく弛み、度数表示基板１６０から受け皿中継基板１５０までの距離が最も長い最長線体１１１ｂが緊張状態となってしまう。そのため、上記最短線体１１１ａを大きく弛んだままにしておくと、下部開閉扉８を閉止する際、当該下部開閉扉８に挟まれ、断線等してしまう恐れがあり、上記最長線体１１１ｂを緊張状態にしておくと、接続用コネクタ１５１に被接続用コネクタ１１２ｂを接続、又は、接続用コネクタ１６１に被接続用コネクタ１１２ａを接続することが困難となるばかりか、当該接続の際、上記最長線体１１１ｂが断線等してしまう恐れがある。
【００３８】
そこで、そのような問題を解消すべく、本実施形態に係る配線部材１１０は、図９に示すような構成にしている。すなわち、図９（ａ）に示すように、接続線１１１は、最短線体１１１ａから幅方向に向かって長さが徐々に長くなるように配設され、最長線体１１１ｂの長さが最も長くなるようになっている。そして、このように配設された接続線１１１の基端部に設けられている銅線等からなる接続端子１２０が被接続用コネクタ１１２ａ内に圧着又は圧接によって接続されることにより、接続線１１１の基端部に、被接続用コネクタ１１２ａが設けられることとなる。
【００３９】
また、図９（ｂ）に示すように、第１分岐接続線１１３は、最短線体１１１ａから幅方向に向かって長さが徐々に長くなるように配設され、第１中間最長線体１１１ｃの長さが最も長くなるようになっている。そして、このように配設された第１分岐接続線１１３の先端部に設けられている銅線等からなる接続端子１２１が被接続用コネクタ１１２ｂ内に圧着又は圧接によって接続されることにより、第１分岐接続線１１３の先端部に、被接続用コネクタ１１２ｂが設けられることとなる。
【００４０】
さらに、図９（ｂ）に示すように、第２分岐接続線１１４は、第１中間最長線体１１１ｃよりも長さの長い第２中間最長線体１１１ｄから幅方向に向かって長さが徐々に長くなるように配設され、最長線体１１１ｂの長さが最も長くなるようになっている。そして、このように配設された第２分岐接続線１１４の先端部に設けられている銅線等からなる接続端子１２２が被接続用コネクタ１１２ｂ内に圧着又は圧接によって接続されることにより、第２分岐接続線１１４の先端部に、被接続用コネクタ１１２ｂが設けられることとなる。
【００４１】
このようにして、図７に示す配線部材１１０が構成されることとなる。
【００４２】
しかして、このように、配線部材１１０の接続線１１１の長さを徐々に長くし不均一に設定することにより、最短線体１１１ａが大きく弛んだり、最長線体１１１ｂが緊張状態になったりすることを防止できる。それゆえ、接続線１１１の断線等を防止することができると共に、接続用コネクタ１５１，１６１への接続を容易に行うことができる。
【００４３】
また、上記のような構成をとることにより、接続線１１１が大きく弛んでしまう空間を無くすことができるため、当該空間にゴト行為が可能なゴト装置を隠しこむことを防止することができる。
【００４４】
さらには、上記のような構成をとることにより、接続線１１１が大きく弛んでしまうことがないため、弛みを防止するカバー等を装着する必要がなくなるという利点もある。
【００４５】
一方、上記のような配線部材１１０を、図６及び図８に示す接続用コネクタ１５１と接続用コネクタ１６１のように、向きが異なる接続用コネクタ同士を電気的に接続するところに使用したとしても、接続線１１１が大きく弛むことがなく、受け皿中継基板１５０及び度数表示基板１６０等の基板に当該接続線１１１が被ることで発生するノイズを未然に防止することができる。
【００４６】
なお、本実施形態においては、配線部材１１０の接続線１１１の長さを徐々に長くするように配設したが、不揃いの長さに配設しても良く、接続線１１１の一部の線体のみ不揃いの長さにしても良い。しかしながら、接続線１１１の長さを徐々に長くするように配設した方が好ましい。最も長さの短い線体、最も長さの長い線体を瞬時に見分けることができるため、使い勝手がよいためである。
【００４７】
また、本実施形態においては、第１分岐接続線１１３と第２分岐接続線１１４が連携して徐々に線体が長くなる例を示したが、勿論、第１分岐接続線１１３と第２分岐接続線１１４を独立させても良い。すなわち、例えば、第２分岐接続線１１４は、当該第２分岐接続線１１４の第２中間最長線体１１１ｄの長さを、第１分岐接続線１１３の第１中間最長線体１１１ｃの長さよりも短くし、その状態から、幅方向に向かって長さを徐々に長くしても良い。
【００４８】
さらに、本実施形態においては、図８（ａ）に示すように、左方向から被接続用コネクタ１１２ｂを接続用コネクタ１５１に接続する例を示したが、それに限らず、例えば、図１０（ａ）に示すように、右方向から被接続用コネクタ１１２ｂを接続用コネクタ１５１に接続しても良い。すなわち、このように、接続用コネクタ１５１内の長手方向に配設されている複数の端子１５１ａの配列と、被接続用コネクタ１１２ｂが平行又は略平行となる方向から、被接続用コネクタ１１２ｂを接続用コネクタ１５１に接続する際、接続線１１１が弛んだり、緊張したりする可能性が高いが、そのようなところに、当該配線部材１１０を用いることで、配線部材１１０の断線等をより効果的に防止することができる。
【００４９】
一方、本実施形態においては、二股状の配線部材１１０を示したが、それに限らず、例えば、図１０（ｂ）に示すような、二股状に分岐していない配線部材２００を用いても良い。図１０（ｂ）に示すように、この配線部材２００は、複数本の線体（図示では、８本）からなる接続線２０１と、その両端に設けられた被接続用コネクタ２０２ａ，２０２ｂとで構成され、この接続線２０１は、右方向に位置する最短線体２０１ａから左方向に位置する最長線体２０１ｂに向かって長さが徐々に長くなるように配設されている。このように構成された配線部材２００の被接続用コネクタ２０２ａ，２０２ｂは、例えば、向きの異なる接続用コネクタ２５０，２５１にそれぞれ接続され、これにより、当該接続用コネクタ２５０，２５１が取り付けられている基板同士及び／又は基板と遊技部材とが、電気的に接続されることとなる。しかして、このような配線部材２００においても、上記説明した内容と同様の効果を発揮することができる。
【００５０】
また、本実施形態においては、接続線１１１，２０１は、当該接続線１１１，２０１の長さを徐々に長くするように配設したが、図１１に示す配線部材３００のように配設しても良い。この配線部材３００の複数本の線体（図示では、１５本）からなる接続線３０１は、線群３０１ａ〜３０１ｅ毎に分けられ、線群３０１ａ〜３０１ｅは、それぞれ、３本の線体に分けて形成されている。そして、このように形成された線群３０１ａ〜３０１ｅは、線群３０１ａから線群３０１ｅに向かって長さが徐々に長くなるように配設されている。すなわち、線群３０１ａの長さが最も短く、線群３０１ｅの長さが最も長くなるように配設されている。
【００５１】
そして、このように配設された線群３０１ａ〜３０１ｅの基端部には、それぞれ、銅線等からなる接続端子３１０が設けられており、この接続端子３１０が、被接続用コネクタ３２０内に圧着又は圧接によって接続されることにより、接続線３０１の基端部に、被接続用コネクタ３２０が設けられることとなる。なお、図示は省略しているが、接続線３０１の先端部は、図７に示すように、二股状に分かれていても良いし、図１０（ｂ）に示すように、二股状に分かれていなくても良く、いずれの場合であっても、当該基端部と同様、被接続用コネクタ３２０が設けられることとなる。
【００５２】
しかして、このような配線部材３００においても、上記説明した内容と同様の効果を発揮することができる。また、このような配線部材３００における線群３０１ａ〜３０１ｅのうち、最も長さの長い線群３０１ｅには、グラウンド線を含めても良く、このように、最も長さの長い線群３０１ｅにグランド線を含めることにより、基準信号を取り易くなる。
【００５３】
ところで、上記説明した配線部材１１０，２００，３００は、上部開閉扉７又は下部開閉扉８側、あるいは、裏カバー６５側に位置する基板同士、及び／又は、基板と遊技部材とを電気的に接続する際に使用するのが好ましい。上部開閉扉７又は下部開閉扉８、あるいは、裏カバー６５は、開閉自在であるため、接続線１１１，２０１，３０１が大きく弛んでいると、上部開閉扉７又は下部開閉扉８、あるいは、裏カバー６５を閉止する際、当該大きく弛んだ接続線１１１，２０１，３０１を挟み込み、それがために、当該接続線１１１，２０１，３０１が断線等してしまう恐れがあるためである。
【００５４】
またさらには、配線部材１１０，２００，３００は、遊技の進行に伴い所定の演出動作を行う可動演出体４４ａ〜４４ｄとモータ接続中継基板４３０（図１２参照）とを電気的に接続する際に使用するのが好ましい。可動演出体４４ａ〜４４ｄは、遊技の進行に伴い所定の演出動作を行うため、接続線１１１，２０１，３０１が大きく弛んでいると、その大きく弛んだ接続線１１１，２０１，３０１を可動演出体４４ａ〜４４ｄが挟み込んでしまい、それがために、当該接続線１１１，２０１，３０１が断線等してしまう恐れがあるためである。
【００５５】
しかし一方で、裏カバー６５側に位置する基板のうち、液晶制御基板８０に関する配線に関しては、上記配線部材１１０，２００，３００を使用せず、接続線の長さが均一の配線部材を用いた方が好ましい。液晶制御基板８０に関する信号は高速性が要求されるため、接続線の長さを不均一にすると信号の同期をとるのが困難になるためである。
【００５６】
次に、この点につきより詳しく、図１２及び図１３に示すパチンコ遊技機内に設けられる遊技の進行状況に応じて電子制御を行う制御装置を用いて説明することとする。なお、図１２に示す制御装置のブロック図には、図６に示す受け皿中継基板１５０及び度数表示基板１６０の図示は省略している。
【００５７】
図１２に示すように、この制御装置は、遊技店に設置された図示しない変圧トランスから供給される外部電源である交流電圧ＡＣ２４Ｖを受けて複数種類の直流電圧を生成する電源基板１００と、遊技動作全般の制御を司る主制御基板８５と、その主制御基板８５からの制御コマンドに基づいて遊技球を払出す払出制御基板９０と、その主制御基板８５からの制御コマンドを受けて演出処理を行う演出制御基板７０とで主に構成されている。なお、演出制御基板７０は、上記主制御基板８５からの制御コマンドを演出Ｉ／Ｆ基板４００を介して受信している。
【００５８】
電源基板１００は、遊技店に設置された図示しない変圧トランスから供給される外部電源である交流電圧ＡＣ２４Ｖを受けて複数種類の直流電圧を生成し、図１２に示すように、その生成された直流電圧のうちＤＣ１２Ｖが払出制御基板９０に供給され、ＤＣ１２Ｖ，ＤＣ３２Ｖが主制御基板８５に供給される。そしてさらに、ＤＣ５Ｖ，ＤＣ１２Ｖ，ＤＣ１５Ｖ及びＤＣ３２Ｖが演出Ｉ／Ｆ基板４００に供給される。なお、払出制御基板９０には、上記外部電源ＡＣ２４Ｖが電源基板１００を介して供給されている。
【００５９】
他方、主制御基板８５は、遊技盤中継基板４１０を介して遊技盤２０の各遊技部材に接続されており、これにより、遊技盤２０上の各始動口４５，４７及び各入賞口４６，４８の内部に設けられているスイッチ信号を受信する一方、大入賞口４６などのソレノイド類を駆動するソレノイド類駆動信号を遊技盤中継基板４１０に送信している。なお、本実施形態においては、遊技盤２０上の各始動口４５，４７及び各入賞口４６，４８の内部に設けられているスイッチ信号を、遊技盤中継基板４１０を介して主制御基板８５に接続する例を示したが、遊技盤中継基板４１０を介さず、直接主制御基板８５に接続しても良い。
【００６０】
また、主制御基板８５は、上記各入賞口４６，４８からのスイッチ信号を受信した場合、遊技者に幾らの遊技球を払い出すかを決定し、その決定した情報を払出制御コマンドとして送信する。そしてその一方で、払出制御基板９０からは、遊技球の払出動作を示す賞球計数信号や払出動作の異常に係るステイタス信号を受信している。なお、ステイタス信号には、例えば、補給切れ信号、払出不足エラー信号、下皿満杯信号が含まれている。
【００６１】
さらに、主制御基板８５は、上記各始動口４５，４７からのスイッチ信号を受信すると、遊技者に有利な特別遊技状態を発生させるか（いわゆる「当たり」）、あるいは、遊技者に有利な特別遊技状態を発生させないか（いわゆる「ハズレ」）の抽選を行い、その抽選結果である当否情報に応じて特別図柄の変動パターンや停止図柄あるいは普通図柄の表示内容を決定し、その決定した情報を特別図柄表示装置４９又は普通図柄表示装置５０に送信する。これにより、特別図柄表示装置４９又は普通図柄表示装置５０に抽選結果が表示されることとなる。そしてさらに、主制御基板８５は、その決定した情報を含む演出制御コマンドを生成し、演出Ｉ／Ｆ基板４００に送信する。なお、主制御基板８５は、電源基板１００から供給された直流電圧ＤＣ３２Ｖを遊技盤中継基板４１０に供給している。
【００６２】
一方、払出制御基板９０は、上記主制御基板８５からの払出制御コマンドを受信し、その受信した払出制御コマンドに基づいて払出モータ信号を生成し、その生成した払出モータ信号にて、払出モータ（図示しない）を制御して遊技者に遊技球を払出す。そしてさらに、払出制御基板９０は、遊技球の払出動作を示す賞球計数信号や払出動作の異常に係るステイタス信号を送信し、遊技者の操作に応答して遊技球を発射させる発射制御基板３０の作動を開始又は停止させる発射制御信号を送信する。なお、払出制御基板９０は、電源基板１００から供給された交流電圧ＡＣ２４Ｖを発射制御基板３０に供給している。
【００６３】
また、演出制御基板７０は、演出Ｉ／Ｆ基板４００を介して上記主制御基板８５から送信された演出制御コマンドに基づいて、上部開閉扉７及び下部開閉扉８の各所に配設されているＬＥＤランプ等の装飾ランプを駆動制御して光による演出を実現させるための信号を演出Ｉ／Ｆ基板４００を介して装飾ランプ基板４２０に送信する処理を行う。そしてさらに、演出制御基板７０は、上記演出制御コマンドに基づいて、スピーカ１６を駆動制御して音による演出を実現するための信号を演出Ｉ／Ｆ基板４００を介してスピーカ１６に送信する処理を行う。また、演出制御基板７０は、上記主制御基板８５から送信された演出制御コマンドに基づいて、上記演出ボタン装置１３に内蔵されているランプ（図示せず）を点灯又は消灯させるための信号を送信する処理を行う。
【００６４】
また一方、演出制御基板７０は、上記演出制御コマンドに基づいて、可動演出装置４４を駆動制御させるための信号（シリアル信号）を演出Ｉ／Ｆ基板４００を介してモータ接続中継基板４３０に送信する処理を行う。そして、モータ接続中継基板４３０は、当該受信した信号に基づいて可動演出装置４４を駆動する処理を行う。
【００６５】
また、演出制御基板７０は、上記演出制御コマンドに基づいて、液晶制御基板８０を制御して液晶表示装置４２による画像演出を実現させるための信号を演出Ｉ／Ｆ基板４００を介して液晶Ｉ／Ｆ基板４４０に送信する処理を行う。なお、演出Ｉ／Ｆ基板４００は、電源基板１００から供給された直流電圧ＤＣ５Ｖ，ＤＣ１２Ｖを液晶Ｉ／Ｆ基板４４０に供給している。
【００６６】
液晶Ｉ／Ｆ基板４４０は、演出制御基板７０より送信される演出制御コマンドを液晶制御基板８０に送信する。そして、液晶制御基板８０は、これを受けて、上記演出制御コマンドに応じた演出内容に沿った画像を表示するための種々の画像データを、液晶Ｉ／Ｆ基板４４０を介して、液晶表示装置４２に送信する。これにより、液晶表示装置４２は、上記画像データに応じた画像を表示することとなる。
【００６７】
かくして、上記ように構成される制御装置内の各基板等を電気的に接続するにあたって、上記説明した配線部材１１０，２００，３００が用いられている。
【００６８】
しかしながら、そのうち、液晶Ｉ／Ｆ基板４４０，液晶制御基板８０，液晶表示装置４２に関するところは、上記配線部材１１０，２００，３００は使用されていない。
【００６９】
すなわち、図１３に示すように、演出Ｉ／Ｆ基板４００には、接続用コネクタ４００ａ〜４００ｊが取り付けられている。そして、この接続用コネクタ４００ａには、上記配線部材１１０，２００，３００が接続され、当該演出Ｉ／Ｆ基板４００と、主制御基板８５とが電気的に接続されるようになっている。
【００７０】
また、接続用コネクタ４００ｂには、上記配線部材１１０，２００，３００が接続され、これにより、当該演出Ｉ／Ｆ基板４００と、電源基板１００とが電気的に接続されるようになっている。
【００７１】
そして、接続用コネクタ４００ｃは、上記配線部材１１０，２００，３００を用いて、装飾ランプ基板４２０に取り付けられている接続用コネクタ４２０ａと電気的に接続され、これにより、当該演出Ｉ／Ｆ基板４００と、装飾ランプ基板４２０とが電気的に接続されるようになっている。
【００７２】
また、接続用コネクタ４００ｄは、上記配線部材１１０，２００，３００を用いて、スピーカ１６に取り付けられている接続用コネクタ１６ａと電気的に接続され、これにより、当該演出Ｉ／Ｆ基板４００と、スピーカ１６とが電気的に接続されるようになっている。
【００７３】
そして、接続用コネクタ４００ｇは、上記配線部材１１０，２００，３００を用いて、モータ接続中継基板４３０に取り付けられている接続用コネクタ４３０ａと電気的に接続され、これにより、当該演出Ｉ／Ｆ基板４００と、モータ接続中継基板４３０とが電気的に接続されるようになっている。
【００７４】
また、接続用コネクタ４００ｈは、上記配線部材１１０，２００，３００を用いて、演出ボタン装置１３に取り付けられている接続用コネクタ１３ａと電気的に接続され、これにより、当該演出Ｉ／Ｆ基板４００と、演出ボタン装置１３とが電気的に接続されるようになっている。
【００７５】
そして、接続用コネクタ４００ｉ，４００ｊは、演出制御基板７０に取り付けられている接続用コネクタ７０ａ，７０ｂに直接接続することにより、当該演出Ｉ／Ｆ基板４００と、演出制御基板７０とが電気的に接続されるようになっている。
【００７６】
一方、接続用コネクタ４００ｆ，４００ｅは、液晶Ｉ／Ｆ基板４４０に取り付けられている接続用コネクタ４４０ａ，４４０ｂに、上記配線部材１１０，２００，３００を用いず、接続線の長さが均一な配線部材を用いて電気的に接続されている。
【００７７】
また、液晶Ｉ／Ｆ基板４４０には接続用コネクタ４４０ｃが取り付けられており、その接続用コネクタ４４０ｃは、液晶表示装置４２に取り付けられている接続用コネクタ４２ａに、上記配線部材１１０，２００，３００を用いず、接続線の長さが均一な配線部材を用いて、当該液晶Ｉ／Ｆ基板４４０と液晶表示装置４２とが電気的に接続されるようになっている。
【００７８】
さらに、液晶Ｉ／Ｆ基板４４０には接続用コネクタ４４０ｄ，４４０ｅが取り付けられており、これら接続用コネクタ４４０ｄ，４４０ｅには、液晶制御基板８０に取付けられている接続用コネクタ８０ａ，８０ｂが直接接続され、これにより、当該液晶Ｉ／Ｆ基板４４０と、液晶制御基板８０とが電気的に接続されるようになっている。
【００７９】
かくして、このように、液晶Ｉ／Ｆ基板４４０と、周辺の基板（演出Ｉ／Ｆ基板４００）、及び／又は、遊技部材（液晶表示装置４２）との信号の伝送に関しては、高速性が求められるため、接続線の長さが均一な配線部材を用いて電気的に接続することにより、信号の同期をとり易くしている。
【００８０】
以上説明した本実施形態によれば、配線部材の断線等を防止し、接続用コネクタへの接続を容易に行うことができる。
【符号の説明】
【００８１】
１                            遊技機本体
７                            上部開閉扉（開閉扉）
８                            下部開閉扉（開閉扉）
４４ａ〜４４ｄ                可動演出体
１１０，２００，３００        配線部材
１１１，２０１，３０１        接続線
１１１ａ，２０１ａ            最短線体（線体）
１１１ｂ，２０１ｂ            最長線体（線体）
１１１ｃ                      第１中間最長線体（線体）
１１１ｄ                      第２中間最長線体（線体）
１１２ａ，１１２ｂ            被接続用コネクタ（被接続部）
１５１ａ，１６１ａ            端子
２０２ａ，２０２ｂ，３２０    被接続用コネクタ（被接続部）
３０１ａ〜３０１ｅ            線群
【図１】
0005313377.tif 000002
【図２】
0005313377.tif 000003
【図３】
0005313377.tif 000004
【図４】
0005313377.tif 000005
【図５】
0005313377.tif 000006
【図６】
0005313377.tif 000007
【図７】
0005313377.tif 000008
【図８】
0005313377.tif 000009
【図９】
0005313377.tif 000010
【図１０】
0005313377.tif 000011
【図１１】
0005313377.tif 000012
【図１２】
0005313377.tif 000013
【図１３】
0005313377.tif 000014